(57)【要約】  ヘアケアデバイスが、加熱空気を供給する出力を有する本体と、本体の出力に取り付けられることができる少なくとも２つの異なるアタッチメントとを含む。本発明によれば、本体は、アタッチのうちの１つが本体に取り付けられているか否かを検出し、もし取り付けられているならば、どのアタッチメントが本体に取り付けられているかを検出して、検出結果を提供する、検出器と、検出結果に依存して加熱空気の供給を制御するコントローラとを含む。本発明によれば、各アタッチメントは、本体に接触するためのアタッチメントのアタッチメント接触領域にある所定の位置に少なくとも１つの磁石を有し、少なくとも２つのアタッチメントは、相互に異なる磁石位置構成を有し、検出器は、アタッチメントのうちの選択的なアタッチメントに接触するための本体接触領域にある所定の位置に複数のホール効果センサを含む。
2020522336.tif 000002
【特許請求の範囲】
【請求項１】
加熱空気を供給する出力を有するヘアケアデバイス本体と、
該ヘアケアデバイス本体の前記出力に取り付けることができる少なくとも２つの異なるタイプのヘアケアデバイスアタッチメントとを含み、
前記ヘアケアデバイス本体は、
ヘアケアデバイスアタッチメントのタイプのうちの１つのヘアデバイスアタッチメントのタイプがヘアケアデバイス本体に取り付けられているか否かを検出し、もし取り付けられているならば、どのタイプのヘアケアデバイスアタッチメントが前記ヘアケアデバイス本体に取り付けられているかを検出して、検出結果を提供する、検出器と、
前記検出結果に依存して加熱空気の供給を制御するコントローラとを含み、
各ヘアケアデバイスアタッチメントは、前記ヘアケアデバイス本体と接触するための前記ヘアケアデバイスアタッチメントの接触領域に１つ又はそれよりも多くの磁石を有し、少なくとも２つのタイプのヘアケアデバイスアタッチメントは、相互に異なる磁石位置構成を有し、
前記検出器は、前記ヘアケアデバイスアタッチメントの前記１つ又はそれよりも多くの磁石に接触するために前記出力にある所定の位置に複数のホール効果センサを含む、
ヘアケアデバイス。
【請求項２】
各タイプのヘアケアデバイスアタッチメントは、単一の磁石を有し、前記検出器は、前記ヘアケアデバイスアタッチメントの各タイプについて、前記出力における場所に別個のホール効果センサを含み、該別個のホール効果センサは、前記ヘアケアデバイスアタッチメントが前記ヘアケアデバイス本体に取り付けられた後に、前記ヘアケアデバイスアタッチメントの磁石が位置付けられる前記ヘアケアデバイスアタッチメント上の前記場所に面する、請求項１に記載のヘアケアデバイス。
【請求項３】
第１のタイプのヘアケアデバイスアタッチメントが、第１の位置に１つの磁石を有し、第２のタイプのヘアケアデバイスアタッチメントが、前記第１の位置とは異なる第２の位置に１つの磁石を有し、第３のタイプのヘアケアデバイスアタッチメントが、前記第１の位置および前記第２の位置に磁石を有し、前記検出器は、前記第１の位置および前記第２の位置に面するそれぞれの位置に第１のホール効果センサおよび第２のホール効果センサを有する、請求項１に記載のヘアケアデバイス。
【請求項４】
ヘアケアデバイス本体であって、
加熱空気を供給する出力であって、少なくとも２つの異なるタイプのヘアケアデバイスアタッチメントを取り付けることができる出力と、
前記ヘアケアデバイスアタッチメントのタイプのうちの１つのヘアケアデバイスアタッチメントのタイプが当該ヘアケアデバイス本体に取り付けられているか否かを検出し、もし取り付けられているならば、どのタイプのヘアケアデバイスアタッチメントが当該ヘアケアデバイス本体に取り付けられているかを検出して、検出結果を提供する、検出器と、
前記検出結果に依存して加熱空気の供給を制御するコントローラとを含み、
前記検出器は、当該ヘアケアデバイス本体と接触するための前記ヘアケアデバイスアタッチメントの接触領域にある少なくとも１つの磁石と接触するための、前記出力にある複数のホール効果センサを含み、前記少なくとも２つのタイプのヘアケアデバイスアタッチメントは、相互に異なる磁石位置構成を有し、それにより、前記検出器は、どのタイプのヘアケアデバイスアタッチメントが当該ヘアケアデバイス本体に取り付けられているかを検出することができる、
ヘアケアデバイス本体。
【請求項５】
前記検出器は、前記ヘアケアデバイスアタッチメントの各タイプのヘアケアデバイスアタッチメントのために、前記出力の場所に別個のホール効果センサを含み、該別個のホール効果センサは、前記ヘアケアデバイスアタッチメントが当該ヘアケアデバイス本体に取り付けられた後に、前記ヘアケアデバイスアタッチメントの磁石が位置付けられる前記ヘアケアデバイスアタッチメント上の前記場所に面する、請求項４に記載のヘアケアデバイス本体。
【請求項６】
第１の位置に１つの磁石を有する第１のタイプのヘアケアデバイスアタッチメント、
前記第１の位置とは異なる第２の位置に１つの磁石を有する第２のタイプのヘアケアデバイスアタッチメント、又は
前記第１の位置及び前記第２の位置に磁石を有する第３のタイプのヘアケアデバイスアタッチメントを検出するために、
前記検出器は、前記第１の位置及び前記第２の位置に面するそれぞれの位置に、第１のホール効果センサ及び第２ホール効果センサ（Ｈ）を有する、
請求項４に記載のヘアケアデバイス本体。
【請求項７】
ヘアケアデバイス本体と共に使用するためのヘアケアデバイスアタッチメントであって、
前記ヘアケアデバイス本体は、加熱空気を供給する出力を有し、少なくとも２つの異なるタイプのヘアケアデバイスアタッチメントは、前記出力に取り付けられることができ、
当該ヘアケアデバイスアタッチメントは、前記本体と接触するための当該ヘアケアデバイスアタッチメントのアタッチメント接触領域にある所定の位置に１つ又はそれよりも多くの磁石を有し、前記少なくとも２つのアタッチメントは、相互に異なる磁石位置構成を有する、
ヘアケアデバイスアタッチメント。
【請求項８】
各タイプのヘアケアデバイスアタッチメントが単一の磁石を有する、請求項７に記載のヘアケアデバイスアタッチメント。
【請求項９】
第１のタイプのヘアケアデバイスアタッチメントが、第１の位置に１つの磁石を有し、第２のタイプのヘアケアデバイスアタッチメントが、前記第１の位置とは異なる第２の位置に１つの磁石を有し、第３のタイプのヘアケアデバイスアタッチメントが、前記第１の位置および前記第２の位置に磁石を有する、請求項７に記載のヘアケアデバイスアタッチメント。
【発明の詳細な説明】
【技術分野】
【０００１】
本発明は、少なくとも２つのアタッチメント(attachments)を備えるヘアケアデバイス(hair  care  device)に関する。
【背景技術】
【０００２】
ＤＥ１９８３５７９１は、温風ヘアドライヤを開示している。ドライヤは、使用するノズル又は乾燥アタッチメントの形状に従って出て来る暖気の温度を上昇させる／制御するデバイスを有する。電気加熱設備と、指定温度（設定値）にある暖気を用いて毛を乾燥させるファンとを備える、ハンド装置は、空気出口開口に設置し得る成形ノズルまたは乾燥アタッチメントを有する。使用するアタッチメントに依存して暖気温度に影響を与えるデバイスが存在する。アタッチメント上に依存性を決定するデバイスがある。第１に述べたデバイスは、アタッチメントに依存して、温風温度を指定された値まで上昇させる。暖気温度（設定点値）用の電子温度制御ユニットが設けられる。装置には温度センサが配置され、測定信号（実数値）が温度センサから電子制御ユニットに送られ、指定された設定点暖気温度と比較され、制御される。アタッチメントは、符号化デバイスと、アタッチメント上の符号化デバイスによって所定の高温空気温度（設定温度）を検出する復号化デバイスを備える本体とを備える。符号器として、アタッチメントは、本体内のスイッチに接続されるシフトロッドの変位可能なバネ荷重ストップに対応する突起上に対応する形状構成を有する。スイッチ（タップ切換器）の停止位置に依存して、所定の高温空気温度が上昇させられる。
【０００３】
典型的なヘアドライヤ又はエアスタイラ(hair  styler)では、アタッチメントが差し込まれると、それは当然ながら空気流及び熱出力に影響を与える。多くの場合、結果として得られる出力は、そのアタッチメントタイプに最適でないことがある。
【発明の概要】
【発明が解決しようとする課題】
【０００４】
とりわけ、改良されたヘアケアデバイスを提供することが本発明の目的である。本発明は、独立項によって定義される。有利な実施形態は、従属項において定義される。
【課題を解決するための手段】
【０００５】
本発明のスマートアタッチメント検出構成を用いるならば、ドライヤは、差し込まれるアタッチメントまたはノズルのタイプを検出して、空気速度および／または加熱設定を自動的に調整することができるので、アタッチメントは、それらの定義された目的を満足する、それらの最適な性能を提供することができる。ユーザは、もはや、正しい出力を得るためにどの設定を選択するかを決定する必要がない。ユーザがどの温度を経験するかをアタッチメントのタイプに決定させる代わりに、出口空気は制御された温度に変更される。
【０００６】
本発明のこれらの態様および他の態様は、以下に記載する実施形態から明らかであり、それらを参照して解明されるであろう。
【図面の簡単な説明】
【０００７】
【図１】本発明の第１の実施形態を例示している。
【図２】本発明に従ったヘアドライヤのある実施形態を例示している。
【図３ａ】本発明の第２の実施形態を例示している。
【図３ｂ】本発明の第２の実施形態を例示している。
【図３ｃ】本発明の第２の実施形態を例示している。
【図３ｄ】本発明の第２の実施形態を例示している。
【発明を実施するための形態】
【０００８】
図１は、本発明の第１の実施形態を例示している。図１は、本発明に従ったヘアドライヤの本体の空気出口側の例を示している。この例では、空気出口側の底に、３つのホール効果センサＨが存在する。ヘアドライヤが３つの異なるアタッチメントを有するならば、各アタッチメントは、本体内の３つのホール効果センサＨのうちの相互に異なるホール効果センサに面するそれぞれの位置に１つの磁石を有し、本体内のプロセッサは、どのアタッチメントがヘアドライヤの本体に取り付けられたかを決定し得る。何故ならば、取り付けられるアタッチメント上の磁石に近接する１つのホール効果センサのみが、磁石の存在を示すからである。
【０００９】
図２は、本発明に従ったヘアドライヤのある実施形態を例示している。図１の３つのホール効果センサＨは、コントローラＣの入力に接続され、コントローラＣは、そのようにして検出されるアタッチメントタイプに基づいて、空気速度および／または熱設定を自動的に調整するためにファンＦおよび／または空気温度Ｔを制御する。第１の実施において、コントローラＣは、検出される特定のタイプのアタッチメント（ノズル）に依存して、ヒータ出力を特定のプリセット設定に変更するだけであるので、アタッチメントが接続されるたびに、我々は特定の温度及び／又は空気速度を予測することができる。何故ならば、ノズルの特性は既に知られているからである。代替的な実施において、コントローラＣは、供給される熱量および／または空気速度が温度センサによって得られる測定温度に更に依存するフィードバックループを有する。
【００１０】
代替的に、図１に示す構成の変形において、本体は、図３（ａ）に示すように、２つのホール効果センサのみを有する（例えば、図１および図２の中間ホール効果センサＨは省略されている）。そのような構成において、本体内のプロセッサは、図１に関して上述したのと同じ方法において、２つの異なるアタッチメントのうちのどのアタッチメントが本体に取り付けられているかを検出し得る。次に、２つの異なるアタッチメントは、図３ｂ及び図３ｃに黒色の四角でそれぞれ示すような磁石位置を有する。しかしながら、第３のアタッチメントが、図３ｄに示すように、本体上の２つのホール効果センサに面するそれぞれの位置に２つの磁石を有するならば、その第３のアタッチメントを検出することさえ可能である。次に、両方のホール効果センサが、それらが磁石と近接近していることを示すならば、本体内のプロセッサは、第３のアタッチメントが本体に取り付けられていると結論付ける。
【００１１】
要約すると、ヘアケアデバイスが、加熱空気を供給する出力を有する本体と、本体の出力に取り付けることができる少なくとも２つの異なるアタッチメントとを含む。本発明によれば、本体は、アタッチメントのうちの１つが本体に取り付けられているか否かを検出し、もし取り付けられているならば、どのアタッチメントが本体に取り付けられているかを検出して、検出結果を提供する、検出器と、検出結果に依存して加熱空気の供給を制御するコントローラとを含む。本発明によれば、各アタッチメントは、本体に接触するためのアタッチメントのアタッチメント接触領域にある所定の位置に少なくとも１つの磁石を有し、少なくとも２つのアタッチメントは、相互に異なる磁石位置構成を有し、検出器は、アタッチメントのうちの選択的な１つのアタッチメントと接触するための本体接触領域にある所定の位置に複数のホール効果センサを含む。その１つの実施において、各アタッチメントは、単一の磁石を有し、検出器は、アタッチメントの各々について、別個のホール効果センサは、アタッチメントが本体に取り付けられた後に、アタッチメントの磁石が位置付けられるアタッチメント上の場所に面する−本体接触領域にある場所にある別個のホール効果センサを含む。代替的な実施形態では、第１のアタッチメントが、第１の位置に１つの磁石を有し、第２のアタッチメントが、第１の位置とは異なる第２の位置に１つの磁石を有し、第３のアタッチメントが、第１の位置および第２の位置に磁石を有し、検出器は、第１の位置および第２の位置に面するそれぞれの位置に第１のホール効果センサおよび第２のホール効果センサを有する。
【００１２】
本発明は、ヘアドライヤ(hair  drier)および空気スタイラ(hair  styler)に適用されることができる。様々な異なるアタッチメントは、集束空気流のためのノズル、もつれのないウェーブ(waves)およびカール(curls)のための収縮可能な剛毛ブラシ、自然な直線の外観のためのパドル矯正ブラシ(paddle  straightening  brush)、平滑化およびウェーブのためのサーモブラシ(thermobrush)、および根元でのボリュームのボリューム増大器(volumizer)を含み得る。上述の実施形態は、本発明を限定するというよりも、むしろ例示するものであり、当業者は、添付の請求項の範囲から逸脱することなく、多くの代替的な実施形態を設計し得ることが留意されるべきである。請求項において、括弧内に置かれる如何なる引用符号も、請求項を限定するものと解釈されてならない。「含む」という語は、請求項に列挙される要素又はステップ以外の要素又はステップの存在を排除しない。単数形で表現される要素は、そのような要素が複数存在することを排除しない。コントローラは、いくつかの別個の要素を含むハードウェアによっておよび／または適切にプログラムされたプロセッサによって実現されてよい。幾つかの手段を列挙するデバイスの請求項において、これらの手段のうちの幾つかは、１つの同じ品目のハードウェアによって具現されてよい。特定の手段が相互に異なる従属項において引用されているという単なる事実は、これらの手段の組み合わせを有利に利用し得ないことを示さない。
【図１】
2020522336.tif 000003
【図２】
2020522336.tif 000004
【図３ａ】
2020522336.tif 000005
【図３ｂ】
2020522336.tif 000006
【図３ｃ】
2020522336.tif 000007
【図３ｄ】
2020522336.tif 000008
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
加熱空気を供給する出力を有するヘアケアデバイス本体と、
該ヘアケアデバイス本体の前記出力に取り付けることができる少なくとも２つの異なるタイプのヘアケアデバイスアタッチメントとを含み、
前記ヘアケアデバイス本体は、
ヘアケアデバイスアタッチメントのタイプのうちの１つのヘアデバイスアタッチメントのタイプがヘアケアデバイス本体に取り付けられているか否かを検出し、もし取り付けられているならば、どのタイプのヘアケアデバイスアタッチメントが前記ヘアケアデバイス本体に取り付けられているかを検出して、検出結果を提供する、検出器と、
前記検出結果に依存して加熱空気の供給を制御するコントローラとを含み、
各ヘアケアデバイスアタッチメントは、前記ヘアケアデバイス本体と接触するための前記ヘアケアデバイスアタッチメントの接触領域に１つ又はそれよりも多くの磁石を有し、少なくとも２つのタイプのヘアケアデバイスアタッチメントは、相互に異なる磁石位置構成を有し、
前記検出器は、前記ヘアケアデバイスアタッチメントの前記１つ又はそれよりも多くの磁石に接触するために前記出力にある所定の位置に複数のホール効果センサを含む、
ヘアケアデバイス。
【請求項２】
各タイプのヘアケアデバイスアタッチメントは、単一の磁石を有し、前記検出器は、前記ヘアケアデバイスアタッチメントの各タイプについて、前記出力における場所に別個のホール効果センサを含み、該別個のホール効果センサは、前記ヘアケアデバイスアタッチメントが前記ヘアケアデバイス本体に取り付けられた後に、前記ヘアケアデバイスアタッチメントの磁石が位置付けられる前記ヘアケアデバイスアタッチメント上の前記場所に面する、請求項１に記載のヘアケアデバイス。
【請求項３】
第１のタイプのヘアケアデバイスアタッチメントが、第１の位置に１つの磁石を有し、第２のタイプのヘアケアデバイスアタッチメントが、前記第１の位置とは異なる第２の位置に１つの磁石を有し、第３のタイプのヘアケアデバイスアタッチメントが、前記第１の位置および前記第２の位置に磁石を有し、前記検出器は、前記第１の位置および前記第２の位置に面するそれぞれの位置に第１のホール効果センサおよび第２のホール効果センサを有する、請求項１に記載のヘアケアデバイス。
【請求項４】
ヘアケアデバイス本体であって、
加熱空気を供給する出力であって、少なくとも２つの異なるタイプのヘアケアデバイスアタッチメントのうちのいずれか１つのタイプのヘアケアデバイスアタッチメントを取り付けることができる出力と、
前記少なくとも２つの異なるタイプのヘアケアデバイスアタッチメントのうちの１つのタイプのヘアケアデバイスアタッチメントが当該ヘアケアデバイス本体に取り付けられているか否かを検出し、もし取り付けられているならば、どのタイプのヘアケアデバイスアタッチメントが当該ヘアケアデバイス本体に取り付けられているかを検出して、検出結果を提供する、検出器と、
前記検出結果に依存して加熱空気の供給を制御するコントローラとを含み、
前記検出器は、当該ヘアケアデバイス本体と接触するための前記ヘアケアデバイスアタッチメントの接触領域にある少なくとも１つの磁石と接触するための、前記出力にある複数のホール効果センサを含み、前記少なくとも２つの異なるタイプのヘアケアデバイスアタッチメントは、相互に異なる磁石位置構成を有し、それにより、前記検出器は、どのタイプのヘアケアデバイスアタッチメントが当該ヘアケアデバイス本体に取り付けられているかを検出することができる、
ヘアケアデバイス本体。
【請求項５】
前記検出器は、前記ヘアケアデバイスアタッチメントの各タイプのヘアケアデバイスアタッチメントのために、前記出力の場所に別個のホール効果センサを含み、該別個のホール効果センサは、前記ヘアケアデバイスアタッチメントが当該ヘアケアデバイス本体に取り付けられた後に、前記ヘアケアデバイスアタッチメントの磁石が位置付けられる前記ヘアケアデバイスアタッチメント上の前記場所に面する、請求項４に記載のヘアケアデバイス本体。
【請求項６】
第１の位置に１つの磁石を有する第１のタイプのヘアケアデバイスアタッチメント、
前記第１の位置とは異なる第２の位置に１つの磁石を有する第２のタイプのヘアケアデバイスアタッチメント、又は
前記第１の位置及び前記第２の位置に磁石を有する第３のタイプのヘアケアデバイスアタッチメントを検出するために、
前記検出器は、前記第１の位置及び前記第２の位置に面するそれぞれの位置に、第１のホール効果センサ及び第２ホール効果センサ（Ｈ）を有する、
請求項４に記載のヘアケアデバイス本体。
【請求項７】
ヘアケアデバイス本体と共に使用するための少なくとも２つの異なるヘアケアデバイスアタッチメントのセットであって、
前記ヘアケアデバイス本体は、加熱空気を供給する出力を有し、前記少なくとも２つの異なるヘアケアデバイスアタッチメントのうちのいずれか１つのヘアケアデバイスアタッチメントは、前記出力に取り付けられることができ、
各ヘアケアデバイスアタッチメントは、それぞれの機能と、前記ヘアケアデバイスアタッチメントを前記ヘアケアデバイス本体の前記出力に接続するための手段と、前記ヘアケアデバイス本体と接触するための前記ヘアケアデバイスアタッチメントのアタッチメント接触領域にある所定の位置にある１つ又はそれよりも多くの磁石とを有し、前記少なくとも２つの異なるヘアケアデバイスアタッチメントは、相互に異なる機能と、相互に異なる磁石位置構成とを有する、
少なくとも２つの異なるヘアケアデバイスアタッチメントのセット。
【請求項８】
各タイプのヘアケアデバイスアタッチメントが単一の磁石を有する、請求項７に記載の少なくとも２つの異なるヘアケアデバイスアタッチメントのセット。
【請求項９】
第１のヘアケアデバイスアタッチメントが、第１の位置に１つの磁石を有し、第２のヘアケアデバイスアタッチメントが、前記第１の位置とは異なる第２の位置に１つの磁石を有し、第３のヘアケアデバイスアタッチメントが、前記第１の位置および前記第２の位置に磁石を有する、請求項７に記載の少なくとも２つの異なるヘアケアデバイスアタッチメントのセット。
【国際調査報告】
2020522336.tif 000009
2020522336.tif 000010